(57)【特許請求の範囲】
【請求項１】
補強用の金属板を合成樹脂にて被覆して建築部材本体を形成すると共に建築部材本体に一体に形成する付加部分を合成樹脂のみで形成し、建築部材本体が化粧カバー本体で全体を化粧カバー状に形成し、この化粧カバー本体を、平板状の板状部の上端及び下端に長手方向に亙るように耳部を一体に形成すると共に、化粧カバー本体内部に略全面に亙るように金属板をインサートし、且つ化粧カバー本体の外面側に付加部分として合成樹脂からなる突曲部を一体に形成したことを特徴とする建築部材。
【請求項２】
補強用の金属板を合成樹脂にて被覆して建築部材本体を形成すると共に建築部材本体に一体に形成する付加部分を合成樹脂のみで形成し、建築部材本体が雨樋本体で全体を雨樋状に形成し、この雨樋本体を、樋形状部の前端及び後端に長手方向に耳部を一体に形成すると共に、雨樋本体内部に略全面に亙るように金属板をインサートし、且つ雨樋本体の外面側に付加部分として突曲部または溝形状部を一体に形成したことを特徴とする建築部材。
【発明の詳細な説明】
【０００１】
【発明の属する技術分野】
本発明は建物の外装をする化粧カバーや雨樋等の建築部材の構造に関するものである。
【０００２】
【従来の技術】
ケラバの化粧に用いたり、ボーダとして用いたりする化粧カバーや雨樋を合成樹脂で成形する場合、強度的に補強するために鋼板のような金属板をインサートしている。
【０００３】
図６は建築部材Ａ′の一例の化粧カバーＡ１′であり、上下に耳部１ａ，１ｂを長手方向に亙るように有し、上下の耳部１ａ，１ｂ間に断面レ字状の突曲部２を上下に鋸刃状に連続するように設けてある。そして化粧カバーＡ１′を合成樹脂にて形成するとき突曲部２の形状にも沿わせてフォーミングした金属板３を化粧カバーＡ１′全体に亙ってインサートしてある。
【０００４】
図７は建築部材Ａ′の他例の軒樋状の雨樋Ａ２′であり、前後に耳部４ａ，４ｂを長手方向に亙るように有し、前後の耳部４ａ，４ｂ間に任意の形状の樋形状部５を有している。そして雨樋Ａ２′を合成樹脂にて形成するとき樋形状部５の断面形状に沿わせてフォーミングした金属板３を雨樋Ａ２′全体にインサートしてある。
【０００５】
【発明が解決しようとする課題】
ところで、化粧カバーＡ１′には突曲部２の形状が異なるものが種々あり、また軒樋Ａ２′にも樋形状部５の断面形状が異なるものが種々あるが、従来例のように金属板３をインサートする場合、成形する化粧カバーＡ１′や軒樋Ａ２′に合わせた形状にフォーミングした金属板３を用意しなければならなく、金属板３のフォーミングに多数の金型を要して金型投資が大きくなるという問題があった。
【０００６】
本発明は上記の点に鑑みてなされたものであり、金属板のフォーミングに要する投資を少なくして種々の形状のものを安価に製造できる建築部材を提供することを課題とするものである。
【０００７】
【課題を解決するための手段】
上記課題を解決するための本発明の建築部材Ａは、補強用の金属板３を合成樹脂６にて被覆して建築部材本体７を形成すると共に建築部材本体７に一体に形成する付加部分８を合成樹脂のみで形成し、建築部材本体７が化粧カバー本体７ａで全体を化粧カバー状に形成し、この化粧カバー本体７ａを、平板状の板状部９の上端及び下端に長手方向に亙るように耳部１ａ,１ｂを一体に形成すると共に、化粧カバー本体７ａ内部に略全面に亙るように金属板３をインサートし、且つ化粧カバー本体７ａの外面側に付加部分８として合成樹脂からなる突曲部２を一体に形成したことを特徴とする。金属板３をインサートする建築部材本体７（化粧カバー本体７ａ）の形状を共通にして付加部分８の形状を変えることにより種々の形状の建築部材Ａ（化粧カバーＡ１）を形成できるものであって、金属板３のフォーミングに要する金型投資等を少なくできる。
【０００８】
また建築部材本体７が雨樋本体７ｂで全体を雨樋状に形成し、この雨樋本体７ｂを、樋形状部５の前端及び後端に長手方向に耳部４ａ,４ｂを一体に形成すると共に、雨樋本体７ｂ内部に略全面に亙るように金属板３をインサートし、且つ雨樋本体７ｂの外面側に付加部分８として突曲部１０または溝形状部１１を一体に形成したことを特徴とする。金属板３をインサートする建築部材本体７（雨樋本体７ｂ）の形状を共通にして付加部分８の形状を変えることにより種々の形状の建築部材Ａ（雨樋Ａ２）を形成できるものであって、金属板３のフォーミングに要する金型投資等を少なくできる。
【０００９】
【発明の実施の形態】
先ず、図１や図２の実施の形態の例から述べる。本例は建築部材Ａの一例としての化粧カバーＡ１を示すものである。建築部材本体７としての化粧カバー本体７ａは平板状の板状部９の上端及び下端に長手方向に亙るように耳部１ａ，１ｂを一体に形成してある。そしてこの化粧カバー本体７ａは内部に略全面に亙るように補強用の金属板３がインサートされるものであり、金属板３を合成樹脂６にて被覆して形成されている。この化粧カバー本体７ａの外面側には付加部分８ととして断面レ字状の突曲部２を一体に形成してある。図１の例の場合、複数の突曲部２を鋸刃状に連続するように設けてあり、図２の例の場合、１つの大きな突曲部２を設けてある。この付加部分８としての突曲部２は合成樹脂６のみで形成されている。かかる化粧カバーＡ１は合成樹脂の押出し成形で形成されるものであり、この押出成形するとき化粧カバー本体７ａの部分だけ金属板３がインサートされる。
【００１０】
上記のように化粧カバー本体７ａだけに金属板３をインサートして補強するために金属板３のフォーミングが容易になると共に、付加部分８の形状が変わっても共通の金属板３を用いることができるために金属板３をフォーミングする金型を共通化して金型投資を削減できる。また押出し成形するときも押出成形型の付加部分８を成形するブロック型を変更するだけで対応できて押出成形においても投資を抑えることができる。また付加部分８を成形するブロック型を変更することにより、意匠（外観形状）、色、材質、機能等の変更も可能になる。また上記のように形成せる化粧カバーＡ１は長手方向の端部では継手で接続するが、内側に沿わせて接続する継手の場合、化粧カバー本体７ａの形状が同じ形状であるために同じ継手で共用できる。また化粧カバーＡ１を支持する支持具も共用可能である。
【００１１】
次に、図３乃至図５の実施の形態の例について述べる。本例は建築部材Ａの他例としての軒樋状の雨樋Ａ２を示すものである。建築部材本体７としての雨樋本体７ｂは樋形状部５に前端及び後端に長手方向に耳部４ａ，４ｂを一体に形成してある。そしてこの雨樋本体７ｂは内部に略全面に亙るように補強用の金属板３がインサートされるものであり、金属板３を合成樹脂６にて被覆して形成されている。この雨樋本体７ｂの外面側には付加部分８として突曲部１０や溝形状部１１を一体に形成してある。図３の例の場合、複数の突曲部１０を設けてあり、図４の例の場合、１つの大きな突曲部１０を設けてあり、図５の例の場合、雨だれ対策の溝形状部１１を設けてある。この付加部分８としての突曲部１０や溝形状部１１は合成樹脂６のみで形成されている。かかる雨樋Ａ２は合成樹脂の押出し成形で形成されるものであり、この押出成形するとき雨樋本体７ｂの部分だけ金属板３がインサートされる。
【００１２】
上記のように雨樋本体７ｂだけに金属板３をインサートして補強するために金属板３のフォーミングが容易になると共に、付加部分８の形状が変わっても共通の金属板３を用いることができるために金属板３をフォーミングする金型を共通化して金型投資を削減できる。また押出し成形するときも押出成形型の付加部分８を成形するブロック型を変更するだけで対応できて押出成形においても投資を抑えることができる。また付加部分８を成形するブロック型を変更することにより、意匠（外観形状）、色、材質、機能等の変更も可能になる。また上記のように形成せる雨樋Ａ２は長手方向の端部では継手で接続するが、内側に沿わせて接続する継手の場合、雨樋本体７ｂの形状が同じ形状であるために同じ継手で共用できる。また雨樋Ａ２を支持する支持具も共用可能である。また上記雨樋Ａ２の場合、内周に沿って金属板３を通すために内面の寸法精度が安定し、止水性能がアップする。また寸法精度安定により、継手を内周に沿わせるだけの仕様（継手を外周に沿わせない仕様）の接続でも防水的に接続が可能となる。
【００１４】
【発明の効果】
本発明は、補強用の金属板を合成樹脂にて被覆して建築部材本体を形成すると共に建築部材本体に一体に形成する付加部分を合成樹脂のみで形成しているので、金属板をインサートする建築部材本体の形状を共通にして付加部分の形状を変えることにより種々の形状の建築部材を形成できるものであって、金属板のフォーミングを容易したり金属板のフォーミングに要する金型投資等を少なくできるものであり、特に化粧カバーや雨樋のような建築部材の場合有用なものである。
【図面の簡単な説明】
【図１】本発明の実施の形態の化粧カバーの一例の斜視図である。
【図２】同上の化粧カバーの他例の斜視図である。
【図３】同上の実施の形態の雨樋の一例の断面図である。
【図４】同上の雨樋の他例の断面図である。
【図５】同上の雨樋の他例の断面図である。
【図６】一従来例の斜視図である。
【図７】他の従来例の断面図である。
【符号の説明】
３  金属板
６  合成樹脂
７  建築部材本体
８  付加部分
Ａ  建築部材
【図１】
0004061780.tif 000002
【図２】
0004061780.tif 000003
【図３】
0004061780.tif 000004
【図４】
0004061780.tif 000005
【図５】
0004061780.tif 000006
【図６】
0004061780.tif 000007
【図７】
0004061780.tif 000008